【手続補正書】
【提出日】平成22年12月21日(2010.12.21)
【手続補正１】
【補正対象書類名】明細書
【補正対象項目名】０１１５
【補正方法】変更
【補正の内容】
【０１１５】
本願において、特許、特許文献、及び出版物に含まれる引用された説明はその全体があたかも単独で組み込まれるかのように、参考として組み込まれる。本発明への様々な予測し難い改良及び変更が、本発明の範囲及び趣旨から逸脱せずに実施できることは当業者には明らかである。本発明は本明細書に開示した例示的実施形態及び実施例によって不当に制限されることを意図したものではなく、そのような実施例及び実施形態は実例だけの目的で表示され、発明の範囲は本明細書に添付した特許請求の範囲によってのみ制限されることを意図したものであることが理解されるべきである。
本願発明に関連する発明の実施形態を、以下に列挙する。
［実施形態１］
エチレンのテロマー及び少なくとも１種のフルオロアルキルハロゲン化物又はペルフルオロアルキルハロゲン化物の分布を含む組成物であって、該テロマーが少なくとも１つのポリメチレンセグメント（−（ＣＨ２）ｎ−）及び少なくとも１つのハロメチル基（−ＣＸＨ２）を含み、所望により、少なくとも１つの非フッ素へテロ原子を含み、該ハロゲンがヨウ素及び臭素から選択され、該分布が少なくとも１５の該ポリメチレンセグメントのメチレン部分対該ハロメチル基の数平均比を有する、組成物。
［実施形態２］
前記ハロゲンがヨウ素である、実施形態１に記載の組成物。
［実施形態３］
前記ハロゲンが臭素である、実施形態１に記載の組成物。
［実施形態４］
前記数平均比が少なくとも２０である、実施形態１に記載の組成物。
［実施形態５］
前記へテロ原子がヨウ素、臭素、窒素、酸素、イオウ、及びこれらの混合物から選択される、実施形態１に記載の組成物。
［実施形態６］
前記分布が次の一般式、
ＲＣ（Ｒ）（Ｒ）−（ＣＨ２）ｎ−Ｘ            （ＩＶ）
（式中、各Ｒは独立して水素、フッ素、又は１〜２５個の炭素原子のアルキル基、フルオロアルキル基、若しくはペルフルオロアルキル基であって、所望により、少なくとも１つの非フッ素へテロ原子及び／又は少なくとも１つの脂環式部分を含み、所望により、２つの前記Ｒ基は互いに結合して、５〜７個の環炭素原子を有する脂環式環を形成することを条件とし、前記Ｒ基の少なくとも１つはフッ素を含むことを更に条件とし、Ｘはヨウ素又は臭素であり、ｎは少なくとも１５の数平均値である）で表される生成物テロマー分布のクラスから選択される、実施形態１に記載の組成物。
［実施形態７］
前記へテロ原子がヨウ素、臭素、窒素、酸素、イオウ、及びこれらの混合物から選択される、実施形態６に記載の組成物。
［実施形態８］
少なくとも１つの前記Ｒ基が水素又はフッ素である、実施形態６に記載の組成物。
［実施形態９］
１つの前記Ｒ基が水素又はフッ素であり、１つの前記Ｒ基が水素、フッ素、又は１〜１０個の炭素原子のペルフルオロアルキル基であり、１つの前記Ｒ基が所望により、少なくとも１つの非フッ素へテロ原子を含む１〜１０個の炭素原子のアルキル基、フルオロアルキル基、又はペルフルオロアルキル基である、実施形態８に記載の組成物。
［実施形態１０］
１つの前記Ｒ基が水素又はフッ素であり、１つの前記Ｒ基が水素、フッ素、ペルフルオロイソプロピル、又はペルフルオロメチルであり、１つの前記Ｒ基が所望により、少なくとも１つの非フッ素へテロ原子を含む１〜１０個の炭素原子のフルオロアルキル基又はペルフルオロアルキル基である、実施形態９に記載の組成物。
［実施形態１１］
２つの前記Ｒ基が水素又はフッ素であり、１つの前記Ｒ基が所望により、少なくとも１つの非ハロゲンへテロ原子を含む１〜１０個の炭素原子のフルオロアルキル基又はペルフルオロアルキル基である、実施形態１０に記載の組成物。
［実施形態１２］
水素又はフッ素である前記２つのＲ基が両方とも同一である、実施形態１１に記載の組成物。
［実施形態１３］
１つの前記Ｒ基が水素又はフッ素であり、１つの前記Ｒ基がペルフルオロメチルであり、１つの前記Ｒ基が所望により、少なくとも１つの非ハロゲンへテロ原子を含む１〜１０個の炭素原子のフルオロアルキル基又はペルフルオロアルキル基である、実施形態１０に記載の記組成物。
［実施形態１４］
前記ｎが少なくとも２０の数平均値である、実施形態６に記載の組成物。
［実施形態１５］
前記分布が、次の一般式、
Ｒ’’ＣＨ（Ｒ’）−（ＣＨ２）ｎ−Ｘ            （Ｖ）
（式中、Ｒ’’はフッ素又は１〜２５個の炭素原子のフルオロアルキル基又はペルフルオロアルキル基であり、所望により、少なくとも１つの非フッ素へテロ原子及び／又は少なくとも１つの脂環式部分を含み、Ｒ’は水素、フッ素、又は１〜２５個の炭素原子のフルオロアルキル基若しくはペルフルオロアルキル基であり、所望により、少なくとも１つの非フッ素へテロ原子及び／又は少なくとも１つの脂環式部分を含み、Ｘはヨウ素又は臭素であり、所望により、Ｒ’’及びＲ’は互いに結合して、５〜７個の環炭素原子を有する脂環式環を形成することを条件とし、ｎは少なくとも１５の数平均値である）で表される生成物テロマー分布のクラスから選択される、実施形態１に記載の組成物。
［実施形態１６］
前記ｎが少なくとも２０の数平均値である、実施形態１５に記載の組成物。
［実施形態１７］
前記分布が、次の一般式、
Ｒ’’’’ＣＦ（Ｒ’’’）−（ＣＨ２）ｎ−Ｘ            （ＶＩ）
（式中、Ｒ’’’’は１〜２５個の炭素原子のペルフルオロアルキル基であり、所望により、少なくとも１つの脂環式部分及び／又は少なくとも１つの非フッ素ハロゲン原子を含み、Ｒ’’’はフッ素又は１〜２５個の炭素原子のペルフルオロアルキル基であり、Ｘはヨウ素又は臭素であり、Ｒ’’’’及びＲ’’’の少なくとも１つは少なくとも１つの非ハロゲンへテロ原子を含むという条件であり、Ｒ’’’’及びＲ’’’は所望により、互いに結合して、５〜７個の環炭素原子を有する脂環式環を形成することを更に条件とし、ｎは少なくとも１５の数平均値である）で表される生成物テロマー分布のクラスから選択される、実施形態１に記載の組成物。
［実施形態１８］
前記ｎが少なくとも２０の数平均値である、実施形態１７に記載の組成物。
［実施形態１９］
前記分布がＣ４Ｆ９（ＣＨ２）ｎＩ、Ｃ５Ｆ１１（ＣＨ２）ｎＢｒ、Ｃ６Ｆ１３（ＣＨ２）ｎＩ、ＣＦ３（ＣＨ２）ｎＩ、ＣＦ３ＣＦ２（ＣＨ２）ｎＩ、（ＣＦ３）２ＮＣＦ２（ＣＨ２）ｎＩ、ＣＦ３Ｃ２Ｆ４（ＣＨ２）ｎＩ、Ｃ３Ｆ７Ｏ（Ｃ３Ｆ６Ｏ）５ＣＦ（ＣＦ３）（ＣＨ２）ｎＩ、Ｃ４Ｆ９ＳＯ２Ｎ（ＣＨ３）（ＣＨ２）ｎＩ、ＦＳＯ２Ｃ２Ｆ４ＯＣ２Ｆ４（ＣＨ２）ｎＩ、ＣＨ３ＯＣ（Ｏ）ＣＦ２（ＣＨ２）ｎＩ、ＦＯＣ（Ｏ）ＣＦ２（ＣＨ２）ｎＩ、（ＣＦ３）２ＣＦ（ＣＨ２）ｎＩ、（ＣＦ３）２Ｎ（ＣＨ２）ｎＩ、（ＣＦ３）２ＣＨＯ（ＣＨ２）ｎＩ、ＳＦ５ＣＦ２（ＣＨ２）ｎＩ、ＣＦ３ＯＣ２Ｆ４（ＣＨ２）ｎＢｒ、（ＣＦ３）２ＣＨ（ＣＨ２）ｎＩ、（ＣＦ３）３Ｃ（ＣＨ２）ｎＢｒ、Ｃ４Ｆ９ＳＯ２Ｎ（ＣＨ３）ＣＨ２Ｃ（Ｏ）（ＣＨ２）ｎＩ（式中、ｎは少なくとも約１５の数平均値）、及びこれらの混合物から選択される、実施形態１に記載の組成物。
［実施形態２０］
前記ｎが１８、２０、２５、２６、又は４５の数平均値である、実施形態１９に記載の組成物。
［実施形態２１］
前記ハロゲンがカルボニル含有部分、イオウ含有部分、アルケニル含有部分、窒素含有部分、及び酸素含有部分、並びにこれらの組み合わせから選択される有機官能性部分Ｚによって置き換えられている、実施形態１に記載の組成物。
［実施形態２２］
前記Ｚがヒドロキシル部分、アミノ部分、カルボキシル部分、メルカプト部分、スルホネート部分、及びビニル部分、並びにこれらの組み合わせから選択される、実施形態２１に記載の組成物。
［実施形態２３］
前記Ｚがアクリレート部分、メタクリレート部分、及びウレタン部分、並びにこれらの組み合わせから選択される、実施形態２１に記載の組成物。
［実施形態２４］
エチレン及びフルオロアルキルハロゲン化物又はペルフルオロアルキルハロゲン化物の少なくとも１種のテロマーの分布を含む組成物であって、該分布が次の一般式、
ＲＣ（Ｒ）（Ｒ）−（ＣＨ２）ｎ−Ｘ            （ＩＶ）
（式中、各Ｒは独立して水素、フッ素、又は１〜６個の炭素原子のアルキル基、フルオロアルキル基、若しくはペルフルオロアルキル基であって、所望により、少なくとも１つの非フッ素へテロ原子又は少なくとも１つの酸素原子を含む１〜２５個の炭素原子のペルフルオロアルキル基を含み、前記Ｒ基の少なくとも１つはフッ素を含むことを条件とし、Ｘはヨウ素又は臭素であり、ｎは少なくとも１５の数平均値である）で表される生成物テロマー分布のクラスから選択される、組成物。
［実施形態２５］
前記ヘテロ原子が窒素、酸素、イオウ、及びこれらの混合物から選択される、実施形態２４に記載の組成物。
［実施形態２６］
１つの前記Ｒ基が水素又はフッ素であり、１つの前記Ｒ基が水素、フッ素、又は１〜６個の炭素原子のペルフルオロアルキル基であり、１つの前記Ｒ基が所望により、少なくとも１つの非フッ素へテロ原子を含む１〜６個の炭素原子のアルキル基、フルオロアルキル基、又はペルフルオロアルキル基である、実施形態２４に記載の組成物。
［実施形態２７］
１つの前記Ｒ基が水素又はフッ素であり、１つの前記Ｒ基が水素、フッ素、ペルフルオロイソプロピル、又はペルフルオロメチルであり、１つの前記Ｒ基が所望により、少なくとも１つの非フッ素へテロ原子を含む１〜６個の炭素原子のフルオロアルキル基又はペルフルオロアルキル基である、実施形態２６に記載の組成物。
［実施形態２８］
２つの前記Ｒ基が両方ともに水素であるか又は両方ともフッ素であり、１つの前記Ｒ基が所望により、少なくとも１つの非ハロゲンへテロ原子を含む１〜４個の炭素原子のフルオロアルキル基又はペルフルオロアルキル基である、実施形態２７に記載の組成物。
［実施形態２９］
１つの前記Ｒ基が水素又はフッ素であり、１つの前記Ｒ基がペルフルオロメチルであり、１つの前記Ｒ基が所望により、少なくとも１つの非ハロゲンへテロ原子を含む１〜４個の炭素原子のフルオロアルキル基又はペルフルオロアルキル基である、実施形態２７に記載の組成物。
［実施形態３０］
前記ｎが少なくとも２０の数平均値である、実施形態２４に記載の組成物。
［実施形態３１］
実施形態２３の組成物から調製されるフルオロポリマー。
［実施形態３２］
実施形態３１のフルオロポリマー及び液体キャリアを含むコーティング組成物。
［実施形態３３］
少なくとも１つの基材の少なくとも１つの表面の少なくとも一部へ、実施形態３２のコーティング組成物を適用することを含むプロセス。
［実施形態３４］
少なくとも１つのその表面のその少なくとも部分上に、実施形態３２の前記コーティング組成物又は実施形態３１の前記フルオロポリマーを有する、少なくとも１つの基材を含むコーティングされた物品。
【手続補正２】
【補正対象書類名】特許請求の範囲
【補正対象項目名】全文
【補正方法】変更
【補正の内容】
【特許請求の範囲】
【請求項１】
エチレンのテロマー及び少なくとも１種のフルオロアルキルハロゲン化物又はペルフルオロアルキルハロゲン化物の分布を含む組成物であって、該テロマーが少なくとも１つのポリメチレンセグメント（−（ＣＨ２）ｎ−）及び少なくとも１つのハロメチル基（−ＣＸＨ２）を含み、所望により、少なくとも１つの非フッ素へテロ原子を含み、該ハロゲンがヨウ素及び臭素から選択され、該分布が少なくとも１５の該ポリメチレンセグメントのメチレン部分対該ハロメチル基の数平均比を有する、組成物。
【請求項２】
前記ハロゲンがカルボニル含有部分、イオウ含有部分、アルケニル含有部分、窒素含有部分、及び酸素含有部分、並びにこれらの組み合わせから選択される有機官能性部分Ｚによって置き換えられている、請求項１に記載の組成物。
【請求項３】
前記Ｚがアクリレート部分、メタクリレート部分、及びウレタン部分、並びにこれらの組み合わせから選択される、請求項２に記載の組成物。
【請求項４】
エチレン及びフルオロアルキルハロゲン化物又はペルフルオロアルキルハロゲン化物の少なくとも１種のテロマーの分布を含む組成物であって、該分布が次の一般式、
ＲＣ（Ｒ）（Ｒ）−（ＣＨ２）ｎ−Ｘ            （ＩＶ）
（式中、各Ｒは独立して水素、フッ素、又は１〜６個の炭素原子のアルキル基、フルオロアルキル基、若しくはペルフルオロアルキル基であって、所望により、少なくとも１つの非フッ素へテロ原子又は少なくとも１つの酸素原子を含む１〜２５個の炭素原子のペルフルオロアルキル基を含み、前記Ｒ基の少なくとも１つはフッ素を含むことを条件とし、Ｘはヨウ素又は臭素であり、ｎは少なくとも１５の数平均値である）で表される生成物テロマー分布のクラスから選択される、組成物。
【請求項５】
前記ｎが少なくとも２０の数平均値である、請求項１または４に記載の組成物。
【請求項６】
請求項３の組成物から調製されるフルオロポリマー。
【請求項７】
請求項６のフルオロポリマー及び液体キャリアを含むコーティング組成物。
【請求項８】
少なくとも１つの基材の少なくとも１つの表面の少なくとも一部へ、請求項７のコーティング組成物を適用することを含むプロセス。
【請求項９】
少なくとも１つのその表面のその少なくとも部分上に、請求項７の前記コーティング組成物又は請求項６の前記フルオロポリマーを有する、少なくとも１つの基材を含むコーティングされた物品。